(57)【特許請求の範囲】
【請求項１】
釣具を、上側分割体と下側分割体とで構成し、当該上側分割体と下側分割体のいずれか一方に嵌合凸部を形成し、他方に当該嵌合凸部と嵌合可能な嵌合凹部を形成して、両分割体に釣糸挿通部を設けると共に、
当該釣糸挿通部に挿通した釣糸に沿った嵌合凹部への嵌合凸部の押し込み操作に伴い、内方へ押圧されて釣糸に対する周方向の位置を変えずに当該釣糸を挟持する挟持手段と、
当該押し込み操作時に於ける両分割体の相対回動を規制する規制手段と、
前記挟持手段による釣糸の挟持状態を維持するロック手段とを設けたことを特徴とする釣具の釣糸保持構造。
【発明の詳細な説明】
【技術分野】
【０００１】
本発明は、釣糸の強度低下や糸撚れを起こすことなく、釣糸に浮きや錘等の釣具を容易に止着することができる釣具の釣糸保持構造に関する。
【背景技術】
【０００２】
従来から、釣糸に浮き等の釣具を止着するために様々な手段が用いられており、ゴム管や木栓等の浮き止めを用いることが一般的な手段として広く知られている。
しかし、これらの従来構造にあっては、浮き止めを常時携行する必要があるため、携行を忘れると実釣時に浮子の使用ができなくなる不具合があり、また、浮き止めを使用することで釣糸に損傷を与えてしまう虞もあった。
【０００３】
そこで、昨今、斯かる浮き止めを不要とした浮きが特許文献１に開示されている。
この浮きは、係合孔を有する浮き本体と、当該浮き本体と釣糸との係着位置を係脱可能にロックするロック手段を備えたもので、ロック手段は、上記係合孔の内周面に設けたテーパ状の絞り弁部と、当該係合孔に螺合進退自在な操作体とからなり、操作体に釣糸が貫挿している。
【０００４】
そして、操作体の挿入側先端部（絞り弁部側端部）は半径方向に拡縮する弾性部材で形成されており、係合孔に螺合する操作体を回転操作してこれを前進させると、その挿入側先端部が絞り弁部により半径方向へ縮径して釣糸をロック（保持）し、また、操作体が後退するようにこれを回転操作すると、挿入側先端部が拡開して釣糸へのロックが解除されるようになっている。
【特許文献１】特開平１１−３２６３６号公報
【発明の開示】
【発明が解決しようとする課題】
【０００５】
しかし、上述した浮きは、釣糸を完全にロックするまで、操作体が回転し乍ら前進して挿入側先端部が徐々に閉じていく構造上、釣糸をロックする間際で釣糸に僅かに捻りと締め付けが同時に加わるため、釣糸の強度が低下し、また、糸撚れを起こしてしまう虞があった。
本発明は斯かる実情に鑑み案出されたもので、釣糸の強度低下や糸撚れを起こすことなく、釣糸に浮きや錘等の釣具を容易に止着することのできる釣具の釣糸保持構造を提供することを目的とする。
【課題を解決するための手段】
【０００６】
斯かる目的を達成するため、請求項１に係る釣具の釣糸保持構造は、釣具を、上側分割体と下側分割体とで構成し、当該上側分割体と下側分割体のいずれか一方に嵌合凸部を形成し、他方に当該嵌合凸部と嵌合可能な嵌合凹部を形成して、両分割体に釣糸挿通部を設けると共に、当該釣糸挿通部に挿通した釣糸に沿った嵌合凹部への嵌合凸部の押し込み操作に伴い、内方へ押圧されて釣糸に対する周方向の位置を変えずに当該釣糸を挟持する挟持手段と、当該押し込み操作時に於ける両分割体の相対回動を規制する規制手段と、前記挟持手段による釣糸の挟持状態を維持するロック手段とを設けたことを特徴とする。
【発明の効果】
【０００８】
請求項１に係る発明によれば、釣糸の長手方向に沿って上側分割体を下側分割体へ押し込み操作すると、規制手段によって上側分割体と下側分割体の相対回動が規制され乍ら、挟持手段が内方へ押圧されて、釣糸に対する周方向の位置を変えずに当該釣糸を挟持して釣具を釣糸に止着するため、釣糸を損傷して強度低下を引き起こしたり、糸撚れを発生させてしまうことがない利点を有する。
そして、ロック手段によって挟持手段による釣糸の挟持状態が維持されるため、保持状態の不用意な緩みがない利点を有する。
【発明を実施するための最良の形態】
【０００９】
以下、本発明の実施形態を図面に基づいて詳細に説明する。
図１乃至図１０は請求項１に係る発明の第一実施形態を示し、本実施形態は、一般的に「水中浮き」と呼ばれる水に沈むタイプの浮きに本発明を適用したもので、図１に示すように浮き１は略円錐状に形成され、取り付ける釣糸（図５中、符号３）の長手方向に於て上下に分割された上側分割体５と下側分割体７とで構成されている。
【００１０】
図３乃至図１０は上側分割体５と下側分割体７の詳細を示し、図中、９は合成樹脂やゴム，木材等で縦断面略半円形状に形成された上側分割体５の分割体本体（以下、「上側本体」という）で、図４及び図７に示すようにその底部に、当該底部よりも小径で径方向に溝１１が形成された筒状の嵌合凸部１３が、上側分割体９と中心軸を同じくして一体に突設され、更に当該嵌合凸部１３の先端に、溝１１と同一幅Ｍを空けて対向する一対の角柱形状の支持体１５が下方へ突設されている。
【００１１】
そして、上記溝１１内に、合成樹脂やゴムで形成されて上側本体９より柔軟で可撓性を有する挟持体（挟持手段）１７が取り付けられている。
図５乃至図７に示すように挟持体１７は、上側本体９の底部に突設した筒状の挟持体取付部１９の外周を覆ってこれに取り付く筒状の基部２１と、当該基部２１から左右対称に延設された一対のアーム部２３とからなり、両アーム部２３は、夫々、材料自体の持つ弾性で外方へ常時付勢されて、嵌合凸部１３（溝１１）の外周から外方へ突出した構造となっている。
【００１２】
而して、図示するように両アーム部２３は、夫々、上側本体９の底部に沿って基部２１から径方向へ延設された後、嵌合凸部１３の外方へ溝１１から順次突出するように下方へ縦断面略Ｌ字状に折曲され、更に嵌合凸部１３の底部に沿って内方、次いで下方へ順次縦断面Ｌ字状に折曲されてその最下部が内方へ縦断面Ｕ字状に折曲された形状をなし、図３に示すように両アーム部２３は、前記支持体１５よりも若干下方へ突出する寸法とされている。
【００１３】
そして、斯様に内方へ縦断面Ｕ字状に折曲されたアーム部２３の先端が、相対向する縦長な釣糸挟持部２５とされており、既述したように両アーム部２３は材料自体の持つ弾性で外方へ常時付勢されているため、両釣糸挟持部２５は互いに離れる方向に付勢されている。そして、後述するように両アーム部２３に外方から押圧力が加わると、両アーム部２３が内方へ弾性変形して両釣糸挟持部２５が合わさるようになっている。
【００１４】
また、嵌合凸部１３の底部に沿って内方へ折曲する部位のアーム部２３の外周には、後述する回動規制溝２７に係合するラチェット状の係合突起２９が突設されており、図５に示すように回動規制溝２７と係合突起２９は、後述する上側分割体５と下側分割体７の押し込み操作時に、両分割体５，７の相対回動を規制する規制手段３１を構成している。
そして、図１乃至図７に示すように上側本体９から挟持体取付部１９，挟持体１７の基部２１に亘って、釣糸挿通孔（釣糸挿通部）３３が上側分割体５の中心軸上に設けられている。
【００１５】
一方、図３乃至図７に示すように下側分割体７には、上記嵌合凸部１３が嵌合自在な嵌合凹部３５が下側分割体７の中心軸を中心に設けられている。
嵌合凹部３５は、上記嵌合凸部１３が圧入可能な平面視円形形状の大径部３７と、当該大径部３７と中心軸を同じくしてその底部に開口する平面視円形形状の小径部３９とからなり、大径部３７の内周に、前記係合突起２９が圧入可能な回動規制溝２７が１８０°の間隔を空けて上下方向に設けられている。
【００１６】
そして、小径部３９は、両釣糸挟持部２５が互いに離れる方向に付勢された挟持体１７の最下部の幅Ｎより若干小径に設定されており、小径部３９の開口周縁部４１はアール状に加工されて、傾斜が形成されている。
更に、図３に示すように小径部３９の底部中央に、下側分割体７の下方へ順次小径となるテーパ状の釣糸案内孔４３が形成され、当該釣糸案内孔４３の先端に釣糸挿通孔（釣糸挿通部）４５が設けられている。
【００１７】
そして、図５乃至図７に示すように回動規制溝２７に係合突起２９を一致させて、上側分割体５の嵌合凸部１３を下側分割体７の嵌合凹部３５（大径部３７）内に押し込んで嵌合させると、挟持体１７の最下部がアール状に加工された開口周縁部４１に案内されて小径部３９内に入り込むようになっている。そして、嵌合凹部３５への押し込み操作に伴い、縦断面Ｕ字状に形成された挟持体１７の最下部が小径部３９の内周により内方へ押圧されて、釣糸挟持部２５が周方向の位置を変えずに接近して接合するようになっている。
【００１８】
このとき、前記支持体１５が挟持体１７の変形方向を規制して、両釣糸挟持部２５を確実に接合させる。
従って、図５に示すように上側分割体５の釣糸挿通孔３３と下側分割体７の釣糸挿通孔４５とに釣糸３を挿通させて、上述したように嵌合凸部１３を嵌合凹部３５内に押し込めば、図６に示すように両釣糸挟持部２５が、釣糸３に対する周方向の位置を変えずに釣糸３を挟持して浮き１が釣糸３に取り付くこととなる。
【００１９】
そして、回動規制溝２７が釣糸３の方向に沿って上下方向に形成され、これに移動可能に係合した係合突起２９が案内されるため、この嵌合凹部３５への嵌合凸部１３の押し込み操作時に、前記規制手段３１（回動規制溝２７と係合突起２９）が両分割体５，７の相対回動を規制して、釣糸３の糸撚れを防止し乍ら、挟持体１７の釣糸挟持部２５で釣糸３を挟持するようになっている。
【００２０】
また、図３に示すように回動規制溝２７の出入口（下側分割体７の上面側）には、抜止め用の突起４７が内方へ突設されており、嵌合凹部３５への嵌合凸部１３の押し込み操作時に、挟持体１７（アーム部２３）が弾性変形し乍ら係合突起２９がこの突起４７を乗り越えて回動規制溝２７内に入り込み、そして、この突起４７によって、下側分割体７からの上側分割体５の抜止め防止が図られている。
【００２１】
更に、図３乃至図１０に示すように回動規制溝２７の下端部には、下側分割体７の周方向へ係合突起２９が係合可能なロック溝４９が設けられており、図６及び図７の如く嵌合凸部１３を嵌合凹部３５へ押し込んで上側分割体５と下側分割体７を完全に接合した後、ロック溝４９方向へ上側分割体５を回転（図９中、矢印方向）させると、図９に示すように係合突起２９がロック溝４９に入り込むため、両分割体５，７の上下方向への移動が規制されて釣糸３の保持状態が維持されるようになっている。
【００２２】
そして、図１０に示すようにロック溝４９内には、係合突起２９が実線で示す位置に納まる前に挟持体１７（アーム部２３）が弾性変形し乍ら乗り越える突起５１が突設されており、当該突起５１によって上側分割体５の不用意な周方向への戻りが規制されるようになっている。
このように、ロック溝４９と係合突起２９との係合で、両釣糸挟持部２５による釣糸３の保持状態が維持されるようになっており、図１０に示すようにロック溝４９と係合突起２９と突起５１は、釣糸３の保持状態を維持するロック手段５３として機能する。
【００２３】
本実施形態に係る浮き１はこのように構成されているから、釣糸３に浮き１を取り付けるには、先ず、図３の如く上側分割体５と下側分割体７を分割するか、図５の如く嵌合凸部１３と嵌合凹部３５との嵌合を緩めて両釣糸挟持部２５の間に間隙ができた状態で、両釣糸挿通孔３３，４５に釣糸３を挿通させる。
そして、図５乃至図７に示すように回動規制溝２７に係合突起２９を一致させて、上側分割体５の嵌合凸部１３を下側分割体７の嵌合凹部３５（大径部３７）内に押し込めば、挟持体１７の最下部が開口周縁部４１に案内されて小径部３９内に入り込み、嵌合凹部３５への押し込み操作に伴い、挟持体１７の最下部が小径部３９の内周により内方へ押圧されて、両釣糸挟持部２５が釣糸３を挟持して浮き１が釣糸３に取り付く。
【００２４】
而して、この押し込み操作時に、規制手段３１（回動規制溝２７と係合突起２９）が両分割体５，７の相対回動を規制して、釣糸３の糸撚れを防止する。
また、挟持体１７は合成樹脂やゴムで形成されて上側本体９より柔軟で、而も、可撓性を有するため、両釣糸挟持部２５が釣糸３を弾性的に押圧し乍ら釣糸３をソフトに挟持して釣糸３を損傷することがない。
【００２５】
そして、図６及び図７の如く嵌合凸部１３を嵌合凹部３５へ押し込んで上側分割体５と下側分割体７を完全に接合した後、ロック溝４９方向へ上側分割体５を回転（図９中、矢印方向）させれば、図９に示すように係合突起２９がロック溝４９に入り込み、そして、図１０に示すように挟持体１７（アーム部２３）が弾性変形し乍ら突起５１を乗り越えれば、上側分割体５の不用意な周方向への戻りが規制される。
【００２６】
このように、ロック溝４９と係合突起２９との係合で、両釣糸挟持部２５による釣糸３の保持状態が維持されることとなる。
また、釣場の状況に応じ、釣糸３への浮き１の取付位置を変更するには、上側分割体５を図９の矢印方向と反対方向に回転させてロック手段５３によるロックを解除した後、上側分割体５を下側分割体７から引き抜けばよい。そして、釣糸挿通孔３３，４５に挿通する釣糸３に対する上側分割体５と下側分割体７の位置を変更した後、再度、既述したように嵌合凸部１３を嵌合凹部３５に押し込み嵌合させれば、新たな釣糸３の位置に浮き１が取り付くこととなる。
【００２７】
このように、本実施形態に係る浮き１は、回動規制溝２７に沿った釣糸３の長手方向への上側分割体５の下側分割体７への簡単な押し込み操作で、挟持体１７の釣糸挟持部２５が釣糸３を挟持して浮き１を釣糸３に止着することができるので、釣糸をロックする間際で釣糸に僅かに捻りと締め付けが同時に加わる特許文献１の従来例に比し、釣糸３を損傷して強度低下を引き起こしたり、糸撚れを発生させてしまうことがない利点を有する。
【００２８】
更に、ロック手段５３によって釣糸３の保持状態が維持されるため、保持状態の不用意な緩みもない利点を有する。
図１１乃至図１３は「水中浮き」に請求項１に係る発明を適用した第二実施形態を示し、本実施形態に係る浮き５５も略円錐状に形成され、取り付ける釣糸３の長手方向に於て上下に分割された上側分割体５７と下側分割体５９とで構成されている。
【００２９】
図１１及び図１２は上側分割体５７と下側分割体５９の詳細を示し、図中、６１は合成樹脂やゴム，木材等で縦断面略半円形状に形成された上側分割体５７の上側本体で、その底部にこれより小径な筒状の嵌合凸部６３が、上側分割体６１と中心軸を同じくして一体に突設され、更に当該嵌合凸部６３の先端に、上側本体６１よりも柔軟で可撓性を有する合成樹脂やゴム等で形成された筒状の挟持体（挟持手段）６５が接合されている。
【００３０】
挟持体６５は、下方に向かって順次縮径するテーパ形状をなし、その上部は嵌合凸部６３の底部（挟持体６５との取付面）と同一径を有している。
そして、上側本体６１と嵌合凸部６３，挟持体６５に亘って上側分割体５７の中心軸上に釣糸挿通孔（釣糸挿通部）６７が設けられている。
また、上側本体６１の底部と嵌合凸部６３の基部外周との角部には、先端に断面半円形状の係止突起６９が外方へ突出された一対の係止片７１が、嵌合凸部６３を挟んで１８０°の間隔を空けて斜め外方へ突設されており、係止突起６９は、既述した係合突起２９と同様、後述する回動規制溝７３に係合して、上側分割体５７と下側分割体５９の押し込み操作時に、両分割体５７，５９の相対回動を規制する規制手段７５を構成している。
【００３１】
そして、両係止片７１は、外方から押圧力が加わると内方へ弾性変形するようになっている。
一方、図１１及び図１２に示すように下側分割体５９には、上記嵌合凸部６３が嵌合自在な嵌合凹部７７が下側分割体５９の中心軸を中心に設けられている。
嵌合凹部７７は、上記嵌合凸部６３が嵌入可能な平面視円形形状の大径部７９と、当該大径部７９と中心軸を同じくしてその底部に開口するテーパ状凹部８１とからなり、当該テーパ状凹部８１内に前記挟持体６５が圧入，嵌合するようになっている。そして、テーパ状凹部８１の底部中央に、テーパ状の釣糸案内孔４３が形成され、当該釣糸案内孔４３の先端に釣糸挿通孔（釣糸挿通部）４５が設けられている。
【００３２】
また、図１１に示すように大径部７９の内周には、前記係止突起６９が圧入可能な回動規制溝７３が１８０°の間隔を空けて上下方向に設けられると共に、回動規制溝７３の下端部に、上記係止突起６９が係止する係止孔８３が下側分割体５９の外周にラッパ状に開口しており、図１１及び図１２の如く回動規制溝７３に係止突起６９を一致させて、上側分割体５７の挟持体６５を下側分割体５９のテーパ状凹部８１内に押し込んで上側分割体５７を下側分割体５９に嵌合させると、挟持体６５の押し込み操作に伴い、テーパ状凹部８１の内周により挟持体６５が内方へ押圧されて、釣糸挿通孔６７を挿通する釣糸を挟持する。そして、この上側分割体５７の押し込み操作時に、前記規制手段７５（回動規制溝７３と係止突起６９）が両分割体５７，５９の相対回動を規制して、釣糸３の糸撚れを防止すると共に、上側分割体５７を下側分割体５９に完全に接合させると、前記係止孔８３に係止突起６９が係止して、挟持体６５による釣糸３の保持状態が維持されるようになっている。
【００３３】
このように、係止孔８３と係止突起６９は、釣糸３の保持状態を維持するロック手段８５として機能し、挟持体６５は釣糸３の保持手段として機能する。
また、図１１に示すように回動規制溝７３の出入口（下側分割体５９の上面側）には、抜止め用の抜止め凹部８７が設けられており、この抜止め凹部８７に係止突起６９が係止して、下側分割体５９からの上側分割体５７の不用意な抜止め防止が図られている。
【００３４】
本実施形態はこのように構成されているから、釣糸３に浮き５５を取り付けるには、先ず、上側分割体５７と下側分割体５９を分割して、両釣糸挿通孔６７，４５に釣糸３を挿通させる。
そして、図１１に示すように回動規制溝７３に係止突起６９を一致させて、上側分割体５７の挟持体６５を下側分割体７のテーパ状凹部８１内に押し込めば、挟持体６５がテーパ状凹部８１の内周により内方へ押圧され、釣糸３に対する周方向の位置を変えずに当該挟持体６５が釣糸挿通孔６７に挿通する釣糸３を挟持して浮き５５が釣糸３に取り付く。
【００３５】
而して、この押し込み操作時に、規制手段７５（回動規制溝７３と係止突起６９）が両分割体５７，５９の相対回動を規制して釣糸３の糸撚れを防止する。
そして、図１２及び図１３に示すように上側分割体５７を押し込んでこれを下側分割体５９に完全に接合すると、係止孔８３に係止突起６９が係止して、挟持体６５による釣糸３の保持状態が維持されることとなる。
【００３６】
また、釣場の状況に応じ、釣糸３への浮き５５の取付位置を変更するには、係止孔８３から露出する係止突起６９を内方へ押圧して、ロック手段８５によるロックを解除した後、上側分割体５７を下側分割体５９から引き抜けばよい。
以上述べたように本実施形態に係る浮き５５も、回動規制溝７３に沿った釣糸３の長手方向への上側分割体５７の下側分割体５９への簡単な押し込み操作で、浮き５５を釣糸３に止着することができるので、図１の浮き１と同様、釣糸３を損傷して強度低下を引き起こしたり、糸撚れを発生させてしまうことがない利点を有する。
【００３７】
而も、本実施形態にあっても、ロック手段８５によって釣糸３の保持状態が維持されるため、保持状態の不用意な緩みもない利点を有する。
図１４乃至図２０は請求項１に係る発明の第三実施形態を示し、図１４及び図１５に示すように本実施形態に係る浮き８９は、仕掛けを接続した釣糸３に浮き８９を後付けできるように、図１乃至図１０で既述した浮き１を変形して、浮き８９の外側から釣糸挿通孔（釣糸挿通部）３３-1，４５-1に亘って釣糸３を挿通させることができるように、上側分割体５-1と下側分割体７-1に、夫々の外周から釣糸挿通孔３３-1，４５-1，嵌入凹部３５-1に至る釣糸挿通溝（釣糸挿通部）９１，９３を設けたもので、図１６乃至図２０に示すように各釣糸挿通溝９１，９３は、釣糸挟持部２５の釣糸挟持方向と交差する方向に設けられている。
【００３８】
尚、その他の構成は既述した浮き１と同様であるので、同一のものには同一符号を付してそれらの説明は省略する。
本実施形態はこのように構成されているから、釣糸３に浮き８９を取り付けるには、先ず、図１５の如く上側分割体５-1の嵌合凸部１３-1を下側分割体７-1の嵌合凹部３５-1（大径部３７-1）から引き上げて、図５の如く釣糸挟持部２５の挟持状態を解除し、併せて釣糸挿通溝９１，９３を一致させる。
【００３９】
そして、図１８に示すように浮き８９の外側から釣糸挿通孔３３-1，４５-1へと釣糸３を両釣糸挿通溝９１，９３を介して挿通させた後、前記浮き１と同様の操作、即ち、回動規制溝２７に係合突起２９を一致させて、上側分割体５-1の嵌合凸部１３-1を下側分割体７-1の嵌合凹部３５-1（大径部３７-1）内に押し込めば、挟持体１７-1の最下部が開口周縁部４１-1に案内されて小径部３９-1内に入り込み、嵌合凹部３５-1への押し込み操作に伴い、挟持体１７-1の最下部が小径部３９-1の内周により内方へ押圧されて、両釣糸挟持部２５が釣糸３に対する周方向の位置を変えずに釣糸３を挟持して浮き８９が釣糸３に取り付く。
【００４０】
而して、この押し込み操作時に、規制手段３１（回動規制溝２７と係合突起２９）が両分割体５-1，７-1の相対回動を規制して、釣糸３の糸撚れを防止する。
そして、図１８及び図１９の如く嵌合凸部１３-1を嵌合凹部３５-1へ押し込んで上側分割体５-1と下側分割体７-1を完全に接合した後、ロック溝４９方向へ上側分割体５-1を回転（図１４の矢印方向）させれば、図２０に示すように係合突起２９がロック溝４９に入り込み、そして、挟持体１７-1（アーム部２３）が弾性変形し乍ら突起５１を乗り越えれば、上側分割体５-1の不用意な周方向への戻りが規制される。
【００４１】
このように、ロック溝４９と係合突起２９との係合で、両釣糸挟持部２５による釣糸３の保持状態が維持される。
また、釣場の状況に応じ、釣糸３への浮き８９の取付位置を変更するには、上側分割体５-1を図１４の矢印方向と反対方向に回転させてロック手段５３によるロックを解除した後、図１５に示すように上側分割体５-1を下側分割体７-1から引き上げればよい。そして、釣糸挿通孔３３-1，４５-1に挿通する釣糸３に対する上側分割体５-1と下側分割体７-1の位置を変更した後、再度、既述したように嵌合凸部１３-1を嵌合凹部３５-1に押し込み嵌合させれば、新たな釣糸３の位置に浮き８９が取り付くこととなる。
【００４２】
このように、本実施形態に係る浮き８９も、回動規制溝２７に沿った釣糸３の長手方向への上側分割体５-1の下側分割体７-1への簡単な押し込み操作で、挟持体１７-1の釣糸挟持部２５が釣糸３に対する周方向の位置を変えずに釣糸３を挟持して浮き８９を釣糸３に止着することができるので、図１の実施形態と同様、釣糸３を損傷して強度低下を引き起こしたり、糸撚れを発生させてしまうことがなく、また、ロック手段５３によって釣糸３の保持状態が維持されるため、保持状態の不用意な緩みもない利点を有する。
【００４３】
而も、本実施形態によれば、仕掛けを接続した釣糸３に浮き８９を後付けすることが可能である。
尚、上記各実施形態は、本発明に係る釣具の釣糸保持構造を浮きに適用したものであるが、錘やその他釣糸に取り付けて使用する釣具にも適用することが可能である。
【図面の簡単な説明】
【００４４】
【図１】請求項１に係る発明を適用した浮きの第一実施形態の全体斜視図である。
【図２】浮きの平面図である。
【図３】浮きの分解正面図である。
【図４】浮きの分解側面図である。
【図５】浮きの断面図である。
【図６】浮きの断面図である。
【図７】図６のVII−VII線断面図である。
【図８】浮きの側面図である。
【図９】浮きの側面図である。
【図１０】図９のX−X線断面図である。
【図１１】請求項１に係る発明を適用した浮きの第二実施形態の断面図である。
【図１２】浮きの断面図である。
【図１３】浮きの側面図である。
【図１４】請求項１に係る発明を適用した浮きの第三実施形態の全体斜視図である。
【図１５】釣糸取付け時の浮きの正面図である。
【図１６】浮きの分解正面図である。
【図１７】浮きの分解断面図である。
【図１８】浮きの断面図である。
【図１９】図１８のXIX−XIX線断面図である。
【図２０】浮きの断面図である。
【符号の説明】
【００４５】
１，５５，８９  浮き
３  釣糸
５，５７  上側分割体
７，５９  下側分割体
９，６１  上側本体
１１  溝
１３，６３  嵌合凸部
１５  支持体
１７，６５  挟持体
２３  アーム部
２５  釣糸挟持部
２７，７３  回動規制溝
２９  係合突起
３１，７５  規制手段
３３，４５，６７  釣糸挿通孔
３５，７７  嵌合凹部
３７，７９  大径部
３９  小径部
４１  開口周縁部
４７，５１  突起
４９  ロック溝
５３，８５  ロック手段
６９  係止突起
７１  係止片
８１  テーパ状凹部
８３  係止孔
８７  抜止め凹部
９１，９３  釣糸挿通溝
【図１】
0004550691.tif 000002
【図２】
0004550691.tif 000003
【図３】
0004550691.tif 000004
【図４】
0004550691.tif 000005
【図５】
0004550691.tif 000006
【図６】
0004550691.tif 000007
【図７】
0004550691.tif 000008
【図８】
0004550691.tif 000009
【図９】
0004550691.tif 000010
【図１０】
0004550691.tif 000011
【図１１】
0004550691.tif 000012
【図１２】
0004550691.tif 000013
【図１３】
0004550691.tif 000014
【図１４】
0004550691.tif 000015
【図１５】
0004550691.tif 000016
【図１６】
0004550691.tif 000017
【図１７】
0004550691.tif 000018
【図１８】
0004550691.tif 000019
【図１９】
0004550691.tif 000020
【図２０】
0004550691.tif 000021